(57)【要約】【課題】日記を自動的に作成することができ、かつ、変化に富んだ日記を作成することができること。【解決手段】情報処理装置１は、ライフログ情報取得部５１と、ライフログ情報選択部５３と、日記構成選択部５４と、文章作成部５５と、日記作成処理部５６と、を備える。ライフログ情報取得部５１は、日記の作成に供するライフログ情報を取得する。ライフログ情報選択部５３は、ライフログ情報取得部５１により取得されたライフログ情報を選択する。日記構成選択部５４は、ライフログ情報選択部５３により選択されたライフログ情報の日記における登場順となる構成を選択する。文章作成部５５は、ライフログ情報選択部５３により選択されたライフログ情報を日記用の文章情報に作成する。日記作成処理部５６は、日記構成選択部５４により選択された前記構成に基づいて、文章作成部５５により加工された前記日記用の文章情報を構成して日記情報を作成する。【選択図】図２
2015106291.tif 000002
【特許請求の範囲】
【請求項１】
ライフログ情報を取得する情報取得手段と、
前記情報取得手段により取得された前記ライフログ情報を選択する情報選択手段と、
前記情報選択手段により選択された前記ライフログ情報の記録における登場順となる構成を選択する構成選択手段と、
前記情報選択手段により選択された前記ライフログ情報を文章情報に加工する加工手段と、
前記構成選択手段により選択された前記構成に基づいて、前記加工手段により加工された前記文章情報を構成して記録情報を作成する作成手段と、
を備えることを特徴とする情報処理装置。
【請求項２】
前記ライフログ情報は、画像が含まれ、
前記作成手段は、前記構成された前記文章情報を、前記画像と共に提示可能に構成して前記記録情報を作成する、
ことを特徴とする請求項１に記載の情報処理装置。
【請求項３】
前記作成手段は、前記情報選択手段によって選択された前記ライフログ情報に含まれるライフログ情報によって特定される時間帯に撮影された画像と前記文章情報とから前記記録情報を作成する、
ことを特徴とする請求項１又は２に記載の情報処理装置。
【請求項４】
前記情報選択手段は、所定の基準に準じて、前記ライフログ情報を選択する、
ことを特徴とする請求項１乃至３のいずれか１項に記載の情報処理装置。
【請求項５】
前記構成選択手段は、所定の基準に準じて、前記構成を選択する、
ことを特徴とする請求項１乃至４のいずれか１項に記載の情報処理装置。
【請求項６】
前記記録情報は日記情報であることを特徴とする請求項１乃至５のいずれか１項に記載の情報処理装置。
【請求項７】
ライフログ情報を取得する情報取得ステップと、
前記情報取得ステップにより取得された前記ライフログ情報を選択する情報選択ステップと、
前記情報選択ステップにより選択された前記ライフログ情報の記録における登場順となる構成を選択する構成選択ステップと、
前記情報選択ステップにより選択された前記ライフログ情報を文章情報に加工する加工ステップと、
前記構成選択ステップにより選択された前記構成に基づいて、前記加工ステップにより加工された前記文章情報を構成して記録情報を作成する作成ステップと、
を含むことを特徴とする情報処理方法。
【請求項８】
コンピュータを、
ライフログ情報を取得する情報取得手段、
前記情報取得手段により取得された前記ライフログ情報を選択する情報選択手段、
前記情報選択手段により選択された前記ライフログ情報の記録における登場順となる構成を選択する構成選択手段、
前記情報選択手段により選択された前記ライフログ情報を文章情報に加工する加工手段、
前記構成選択手段により選択された前記構成に基づいて、前記加工手段により加工された前記文章情報を構成して記録情報を作成する作成手段、
として機能させることを特徴とするプログラム。
【発明の詳細な説明】
【技術分野】
【０００１】
本発明は、情報処理装置、情報処理方法及びプログラムに関する。
【背景技術】
【０００２】
従来より、ユーザが日々の行動記録を日記としてブログ等に公開することが行われている。公開される日記は、テキストの文章や撮影された画像がアップロードされ、作成者側も閲覧者を飽きさせることのない趣向を凝らしている。このような公開を目的とした日記では、種々の事情から日記を自動的に作成したいという要望があり、日記の文章を作成する技術が多数存在する。例えば、ユーザ携帯端末から得た位置情報を記録しておき、ユーザから日記作成の指示を受けると、その日の位置情報の記録からユーザ行動を解析して、登録された行動パターンに一致する場合は、それに対応する登録定型文を作成装置に送る技術が知られている（特許文献１参照）。
【先行技術文献】
【特許文献】
【０００３】
【特許文献１】特開２００２−２１５６１１号公報
【発明の概要】
【発明が解決しようとする課題】
【０００４】
しかしながら、上述した特許文献１に記載の技術では、あくまでも、１つの文章を自動的に作成するに止まっており、日記全体を自動的に作成するにはユーザが文章の題材を選択し、作成した文章群の中から構成等を決定する作業が必要になってしまう。
【０００５】
本発明は、このような状況に鑑みてなされたものであり、日記を自動的に作成することができ、かつ、変化に富んだ日記を作成することができる情報処理装置、情報処理方法及びプログラムを提供することを目的とする。
【課題を解決するための手段】
【０００６】
上記目的を達成するため、本発明の一態様の情報処理装置は、
ライフログ情報を取得する情報取得手段と、
前記情報取得手段により取得された前記ライフログ情報を選択する情報選択手段と、
前記情報選択手段により選択された前記ライフログ情報の記録における登場順となる構成を選択する構成選択手段と、
前記情報選択手段により選択された前記ライフログ情報を文章情報に加工する加工手段と、
前記構成選択手段により選択された前記構成に基づいて、前記加工手段により加工された前記文章情報を構成して記録情報を作成する作成手段と、
を備えることを特徴とする。
【発明の効果】
【０００７】
本発明によれば、日記を自動的に作成することができ、かつ、変化に富んだ日記を作成することができる。
【図面の簡単な説明】
【０００８】
【図１】本発明の一実施形態に係る情報処理装置のハードウェアの構成を示すブロック図である。
【図２】図１の情報処理装置の機能的構成のうち、日記作成処理を実行するための機能的構成を示す機能ブロック図である。
【図３】ライフログ情報記憶部に記憶されるライフログ情報を示す図である。
【図４】ライフログ情報記憶部に記憶される解析結果情報を示す図である。
【図５】日記作成情報記憶部に記憶される第１の選択基準情報を示す図である。
【図６】日記作成情報記憶部に記憶される第２の選択基準情報を示す図である。
【図７】日記作成情報記憶部に記憶される例文情報を示す図である。
【図８】日記作成処理部による日記情報の作成例を説明するための図である。
【図９】図２の機能的構成を有する図１の情報処理装置が実行する日記作成処理の流れを説明するフローチャートである。
【発明を実施するための形態】
【０００９】
以下、本発明の実施形態について、図面を用いて説明する。
【００１０】
図１は、本発明の一実施形態に係る情報処理装置のハードウェアの構成を示すブロック図である。
情報処理装置１は、例えばスマートフォンとして構成される。
【００１１】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１８と、出力部１９と、記憶部２０と、通信部２１と、ドライブ２２と、を備えている。
【００１２】
ＣＰＵ１１は、ＲＯＭ１２に記録されているプログラム、又は、記憶部２０からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、センサ部１７、入力部１８、出力部１９、記憶部２０、通信部２１及びドライブ２２が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
センサ部１７は、生体情報や環境情報をセンシングできるように構成され、例えば、（心拍計、運動強度などの）生体センサ、（歩数計、走行距離などの）活動センサ、あるいは、（ＧＰＳ移動軌跡や高度計、温度計などの）環境センサで構成される。
【００１９】
入力部１８は、各種釦等で構成され、ユーザの指示操作に応じて各種情報を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信を制御する。
【００２０】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２１】
このように構成される情報処理装置１においては、ライフログから自動的にその日の出来事をまとめた日記（記録情報）を作成することができる機能を有する。また、日記は、日記の閲覧者を飽きさせないように日々変化に富んだものが作成される。変化に富んだ日記とは、扱う話題が異なり、同じ順番で書かれていない日記である。
情報処理装置１では、変化に富んだ日記となるように作成時に、取り扱う話題を選択し、さらに、記載順についても選択するように構成される。
【００２２】
図２は、このような情報処理装置１の機能的構成のうち、日記作成処理を実行するための機能的構成を示す機能ブロック図である。
日記作成処理とは、取得したライフログ情報から日記を作成するまでの処理をいう。詳細には、日記作成処理は、取得したライフログ情報から話題となるライフログを選択し、日記の構成となる話題の記載順番を選択し、さらに、各話題の文章を入力して日記を作成するまでの処理である。
【００２３】
日記作成処理は、図２に示すように、ＣＰＵ１１において、ライフログ情報取得部５１と、ライフログ情報解析部５２と、ライフログ情報選択部５３と、日記構成選択部５４と、文章作成部５５と、通信制御部５７と、が機能する。
また、記憶部２０の一領域には、ライフログ情報記憶部７１が設定される。
【００２４】
ライフログ情報記憶部７１には、取得したライフログ情報やライフログ情報の解析結果の情報（以下、「解析結果情報」という。）等が記憶される。
ライフログ情報とは、人間の生活・行動・体験を、映像・音声・位置情報などのデジタルデータとして記録した情報である。即ち、ライフログ情報は、例えば、撮像部１６で撮像された撮影画像や、センサ部１７から取得したセンサ情報であるユーザの行動情報や入力部１８から任意に入力された情報等の情報である。
具体的には、ライフログ情報は、例えば、食事等の出来事を撮影した撮像画像（撮影日時や位置情報を含む）、ランニングやウォーキングの挙動をセンサ部１７で取得した行動ログ情報、ユーザ入力した所感等の入力情報等がある。
【００２５】
日記作成情報記憶部７２は、例えば、ライフログ情報の選択基準の情報（以下、「第１の選択基準情報」という。）、日記の構成の選択基準の情報（以下「第２の選択基準情報」という。）、文章の作成に必要な例文の情報（以下、「例文情報」という。）、後述するつなぎの言葉の情報（以下、「つなぎ言葉情報」という。）等の日記の作成に必要な情報を記憶する。
日記情報記憶部７３は、作成された日記文面を含む日記のデータである日記情報を記憶する。
【００２６】
ライフログ情報取得部５１は、ライフログ情報を取得する。詳細には、ライフログ情報取得部５１は、撮像部１６、センサ部１７及び入力部１８から、撮像画像、センサ情報、入力情報をライフログ情報として取得する。
ライフログ情報取得部５１は、取得したライフログ情報をライフログ情報記憶部７１に蓄積的に記憶させる。
【００２７】
図３は、ライフログ情報記憶部に記憶されるライフログ情報を示す図である。
図３の例では、ライフログ情報取得部５１は、６つのライフログ情報（「ライフログ情報１」〜「ライフログ情報６」）を取得する。具体的には、「ライフログ情報１」は、「朝のランニングの生体・環境ログ情報」であり、「生体・環境ログ１」となり、「ライフログ情報２」は、「夜の食事を撮影した画像ログ情報」であり、「画像ログ１」となり、「ライフログ情報３」は、「夕方のスポーツジムで友人と共に撮影した画像ログ情報」であり、「画像ログ２」となり、「ライフログ情報４」は、「夜の家でのテレビ鑑賞を撮影した画像ログ情報」であり、「画像ログ３」となり、「ライフログ情報５」は、「昼間のウォーキングの生体・環境ログ情報」であり、「生体・環境ログ２」となり、「ライフログ情報６」は、「詠んだ俳句を入力したテキストログ情報」であり、「テキストログ１」となる。
【００２８】
図２に戻り、ライフログ情報解析部５２は、ライフログ情報取得部５１によって取得されたライフログ情報記憶部７１に記憶されているライフログ情報を解析する。詳細には、ライフログ情報解析部５２は、ライフログ情報にどのような情報が含まれているかを解析する。
また、ライフログ情報解析部５２は、ライフログ情報記憶部７１に解析結果情報を記憶させる。
【００２９】
図４は、ライフログ情報記憶部７１に記憶される解析結果情報を示す図である。
ライフログ情報解析部５２によって解析された解析結果情報は、図４に示すように、例えば、「生体ログ」・「環境ログ」（生体・環境ログ）の場合には、センサ部１７から出力されるＧＰＳ情報や生体・環境情報等から「（行動）日時」，「（行動）場所」，「（行動時）平常／最高心拍数」等を解析し、「画像ログ」の場合には、画像の付加情報等から「（撮影）日時」，「（撮影）場所」等を解析し、「テキストログ」の場合には、ファイルの付加情報等から「（ファイル作成）日時」，「（テキスト）評価」等となる。
【００３０】
図２に戻り、ライフログ情報選択部５３は、ライフログ情報取得部５１によって取得されたライフログ情報の選択を行う。即ち、ライフログ情報選択部５３は、日記作成情報記憶部７２に記憶される第１の選択基準情報に基づいて、作成する日記に使用するライフログ情報を選択する。
【００３１】
図５は、日記作成情報記憶部７２に記憶される第１の選択基準情報を示す図である。
第１の選択基準情報は、図５に示すように、日記に使用するライフログ情報を４つとしている。ライフログ情報選択部５３は、複数のライフログ情報の中から、選択基準に基づいて、４つのライフログ情報を選択する。
ライフログ情報を選択するための「選択基準」は、時間順に構成に割り当てる「時系列」，情報量の多さを重要として順番に割り当てる「重量度」，個人の趣向（例えば、人との交流の多さ・運動量の多さ・移動の多さ等）を重視した順に割り当てる「趣向重視」，ランダムに割り当てる「ランダム」，ユーザが任意に割り当てる「ユーザ設定」となっている。
本例では、「時系列」を選択基準として、「生体・環境ログ１」，「画像ログ１」，「画像ログ２」，「画像ログ３」が使用対象（「使用」）となり、「画像ログ４」，「テキストログ１」が不使用対象（「不使用」）となる。
【００３２】
図２に戻り、日記構成選択部５４は、作成する日記の構成を選択する。即ち、日記構成選択部５４は、ライフログ情報選択部５３により選択されたライフログ情報を、日記作成情報記憶部７２に記憶される第２の選択基準情報に基づいて、選択した構成に割り当てる。
【００３３】
図６は、日記作成情報記憶部７２に記憶される第２の選択基準情報を示す図である。
第２の選択基準情報は、図６に示すように、「構成１」〜「構成４」まで構成が分かれている。各構成にどのライフログ情報を割り当てるかを、「選択基準」に基づいて選択する。「選択基準」は、ライフログ情報選択部５３によるライフログ情報の選択の場合と同じで、時間順に構成に割り当てる「時系列」，情報量の多さを重要として順番に割り当てる「重量度」，個人の趣向（例えば、人との交流の多さ・運動量の多さ・移動の多さ等）を重視した順に割り当てる「趣向重視」，ランダムに割り当てる「ランダム」，ユーザが任意に割り当てる「ユーザ設定」となっている。
例えば、「時系列」を決定要素とした場合、「構成順」は、ログの取得時間順に構成１：「生体・環境ログ１」（ランニングログ），構成２：「画像ログ１」（食事のログ），構成３「画像ログ２」（スポーツジムでの活動ログ），構成４「画像ログ３」（家での活動ログ）となる。即ち、作成される日記が「生体・環境ログ１」（ランニングログ）→：「画像ログ１」（食事のログ）→「画像ログ２」（スポーツジムでの活動ログ）→「画像ログ３」（家での活動ログ）で説明されることとなる。
【００３４】
図２に戻り、文章作成部５５は、日記に用いる文章を作成する。即ち、文章作成部５５は、日記作成情報記憶部７２に記憶される例文情報に基づいて、ライフログ情報解析部５２で解析されたライフログ情報を当てはめて、日記の文章を作成する。
【００３５】
図７は、日記作成情報記憶部７２に記憶される例文情報を示す図である。なお、図中、［    ］で示す部分は、解析結果を代入される部分を示す。
例文情報は、図７に示すように、対応するログ種別に、ライフログ情報解析部５２による解析結果を当てはめるベースの文章である。［］内に対応する解析結果を当てはめて文章を作成することができる。例えば、生体・環境ログの場合には、例文が「［場所］の約［距離］を［時間］ほどで［状態］。」であるとき、［場所］，［距離］，［時間］，［状態］にライフログ情報解析部５２によって解析された生体・環境ログの解析結果を当てはめる。その結果、例えば、「［公園付近］の約［１０ｋｍ］を［９０分］ほどで［走った］。」等のライフログ情報に基づいた文章を作成することができる。
【００３６】
図２に戻り、日記作成処理部５６は、日記文面を作成する。日記作成処理部５６は、文章作成部５５によって作成された各文章を日記構成選択部５４によって選択された各構成の順番に文章を配置して１つまとめ、順番における時系列の前後関係をつなぎの言葉や日付や天候等の日記当日の状況を補って、日記文面を作成する。日記作成処理部５６は、使用するつなぎの言葉を日記作成情報記憶部７２に記憶されるつなぎ言葉情報から用いる。
【００３７】
図８は、日記作成処理部５６による日記情報の作成例を説明するための図である。
日記作成処理部５６は、文章作成部５５によって作成された文章を、日記構成選択部５４によって選択された順番で並べる。そして、日記作成処理部５６は、各文章の時系列から、図８（ａ）に示すつなぎ言葉情報に基づいて、適切なつなぎの言葉を選択する。例えば、［最初の構成（構成１）］である場合には、［今日は、］という出だしのつなぎの言葉が選択され、選択された構成により該当する前の構成が時間的に早いものである場合には［前の構成が時間的に前］となり、例えば、「［出来事］の前には、」というつなぎの言葉が選択される。
その結果、図８（ｂ）に示すように、日付と天候が記され、その後に対応する日付のライフログ情報に基づいた行動内容が記される日記文面からなる日記を作成する。なお、本日記情報には、行動内容の後に、一日の総まとめとなる各種生体・環境ログの値（例えば、摂取カロリー等）等が記される。
また、日記文面に関する撮像画像がある場合には、撮像画像に日記文面を埋め込んで日記情報を作成する。具体的には、図８（ｃ）の例に示すように、撮像画像内の所定の領域（本例では、画像上方の隅の埋め込み領域Ｒ）に日記文面を埋め込んで日記を作成する。このように構成することにより、日記情報を閲覧したユーザは日記に対応した撮像画像と共に日記文面を鑑賞することができる。
日記作成処理部５６は、以上のように作成した日記を日記情報として日記情報記憶部７３に記憶させる。
【００３８】
図２に戻り、通信制御部５７は、日記情報記憶部７３に記憶された日記情報をブログにアップロードする。通信制御部５７は、例えば、一日の終わり等に日記情報をブログにアップロードする。
【００３９】
図９は、図２の機能的構成を有する図１の情報処理装置１が実行する日記作成処理の流れを説明するフローチャートである。
日記作成処理は、ユーザによる入力部１８への日記作成処理開始の操作により開始される。
【００４０】
ステップＳ１１において、ライフログ情報取得部５１は、ライフログ情報を取得する。そして、ライフログ情報取得部５１は、取得したライフログ情報をライフログ情報記憶部７１に蓄積的に記憶させる。
本例では、ライフログ情報取得部５１は、撮像部１６、センサ部１７、入力部１８から図３に示すような撮像画像、センサ情報、入力情報であるライフログ情報１〜ライフログ情報６のライフログ情報を取得する。
【００４１】
ステップＳ１２において、ライフログ情報解析部５２は、ライフログ情報を解析する。即ち、ライフログ情報取得部５１によって取得されたライフログ情報記憶部７１に記憶されているライフログ情報を解析する。その後、ライフログ情報解析部５２は、ライフログ情報記憶部７１に解析結果を記憶させる。
本例では、ライフログ情報解析部５２は、図３に示すようなライフログ情報に基づいて、図４に示すような解析結果を出力する。
【００４２】
ステップＳ１３において、ライフログ情報選択部５３は、作成する日記に使用するライフログ情報を選択する。
本例では、ライフログ情報選択部５３は、図５に示す［時系列］の選択基準により、ライフログ情報を選択する。即ち、ライフログ情報選択部５３は、［生体・環境ログ１］，［画像ログ１］，［画像ログ２］，［画像ログ３］を日記に用いるライフログ情報として選択する。
【００４３】
ステップＳ１４において、日記構成選択部５４は、日記の構成を選択する。
本例では、日記構成選択部５４は、図６に示す［時系列］の選択基準により、日記の構成を選択する。即ち、日記構成選択部５４は、［生体・環境ログ１］，［画像ログ１］，［画像ログ２］，［画像ログ３］の順で構成を選択する。
【００４４】
ステップＳ１５において、文章作成部５５は、日記に用いる文章を作成する。即ち、文章作成部５５は、日記作成情報記憶部７２に記憶される例文情報に、ライフログ情報解析部５２で解析された情報を当てはめて、日記の文章を作成する。
本例では、文章作成部５５は、図７に示す例文情報に基づいて、ログ種別に対応する例文に解析結果を当てはめて文章を作成する。
【００４５】
ステップＳ１６において、日記作成処理部５６は、日記文面を作成する。日記文面の作成は、文章作成部５５によって作成された各文章を１つの日記にまとめる等することにより行われる。
本例では、日記作成処理部５６は、文章作成部５５によって作成した文章を、ライフログ情報選択部５３によって選択された構成順に並べて、構成毎に時系列に沿って図８（ａ）に示すつなぎ言葉情報に対応したつなぎの言葉を挿入して、日記文面を作成する。
その結果、図８（ｂ）に示すような日記文面を作成する。なお、本日記情報には、行動内容の後に、一日の総まとめとなる各種生体・環境ログの値（例えば、摂取カロリー等）等が記される。
【００４６】
ステップＳ１７において、日記作成処理部５６は、作成された日記を採用するか否かを判定する。
作成された日記を採用した場合には、ステップＳ１７においてＹＥＳと判定されて、処理はステップＳ１８に進む。
作成された日記を採用しない場合には、ステップＳ１７においてＮＯと判定されて、処理はステップＳ１３に戻る。再度ステップＳ１３以降の処理を実行する。
【００４７】
ステップＳ１８において、日記作成処理部５６は、日記文面に関わる撮像画像があるか否かを判定する。
具体的には、撮影された時間が日記の文章を作成した際にライフログ情報解析部５２で解析されたライフログ情報が取得された時間に近い画像があるか否かを判定する。
日記文面に関わる撮像画像がない場合には、ステップＳ１８においてＮＯと判定されて、処理はステップＳ１９に進む。
日記文面に関わる撮像画像がある場合には、ステップＳ１８においてＹＥＳと判定されて、処理はステップＳ２０に進む。
【００４８】
ステップＳ１９において、日記作成処理部５６は、日記文面で日記を作成する。具体的には、日記作成処理部５６は、図８（ｂ）に示すように、作成した日記文面をテキストデータとして日記を作成する。その後、日記作成処理部５６は、作成した日記のデータを日記情報として日記情報記憶部７３に記憶させる。
【００４９】
ステップＳ２０において、日記作成処理部５６は、対象となる撮像画像に日記文面を埋め込んで日記を作成する。具体的には、日記作成処理部５６は、図８（ｃ）に示すように、作成した日記文面を撮像画像の埋め込み領域Ｒに埋め込んで画像データとして日記を作成する。
対象となる撮像画像が複数ある場合には、例えば、作成された日記文面の日で時間的に最後に撮影された撮像画像を採用したり、日記文面において多くの部分を割いた文章に対応する撮像画像や文章の時間帯の近傍の撮像画像が採用されたりする。
その後、日記作成処理部５６は、作成した日記のデータを日記情報として日記情報記憶部７３に記憶させる。
【００５０】
ステップＳ２１において、通信制御部５７は、日記情報記憶部７３に記憶された日記情報をブログにアップロードする。
【００５１】
情報処理装置１では、上述したように日記を作成することにより、ライフログ情報等の情報を利用して、日記を作成でき、さらに、使用する情報の選択、構成の選択等から同様の日記となることを回避できるために、変化に富んだ日記を作成することができる。
【００５２】
以上のように構成される情報処理装置１は、ライフログ情報取得部５１と、ライフログ情報選択部５３と、日記構成選択部５４と、文章作成部５５と、日記作成処理部５６と、を備える。
ライフログ情報取得部５１は、日記の作成に供する日記作成用情報としてライフログ情報を取得する。
ライフログ情報選択部５３は、ライフログ情報取得部５１により取得されたライフログ情報から日記の作成に供するライフログ情報を選択する。
日記構成選択部５４は、ライフログ情報選択部５３により選択されたライフログ情報の日記における登場順となる構成を選択する。
文章作成部５５は、ライフログ情報選択部５３により選択されたライフログ情報を日記用の文章情報に作成する。
日記作成処理部５６は、日記構成選択部５４により選択された構成に基づいて、文章作成部５５により加工された日記用の文章情報を構成して記録情報である日記情報を作成する。
これにより、情報処理装置１においては、日記を自動的に作成することができ、かつ、変化に富んだ日記を作成することができる。また、ライフログ情報を用いているために、日々、通常と同じように生活したり、時々健康のために走ったり運動するだけで、それらを題材にした、日記風の文章メッセージを自動作成してくれるので、文章を考える必要もない。
【００５３】
また、ライフログ情報には、画像が含まれる。
また、日記作成処理部５６は、構成された文章情報を、画像と共に提示可能に構成して日記情報を作成する。
これにより、情報処理装置１においては、画像を含んだ日記を作成することができる。
【００５４】
日記作成処理部５６は、ライフログ情報取得部５１によって選択されたライフログ情報に含まれるライフログ情報によって特定される時間帯に撮影された画像と文章情報とから日記情報を作成する。
これにより、情報処理装置１においては、文章に対応した画像を含んだ日記を作成することができる。
【００５５】
また、ライフログ情報選択部５３は、図５に示すような所定の基準に準じて、ライフログ情報を選択する。
これにより、情報処理装置１においては、変化に富んだ日記を作成することができる。
【００５６】
日記構成選択部５４は、図６に示すような所定の基準に準じて、構成を選択する。
これにより、情報処理装置１においては、変化に富んだ日記を作成することができる。
【００５７】
ライフログ情報取得部５１は、撮像部１６から撮像画像を取得する。
日記作成処理部５６は、構成された日記用の文章情報を、画像と共に提示可能に構成して日記情報を作成する。
これにより情報処理装置１では、日記情報を閲覧したユーザは日記に対応した撮像画像と共に日記文面を鑑賞することができる。
なお、ライフログ情報取得部５１は、通信部２１を介して、外部から画像（例えば、ニュースの画像）を取得して、日記作成処理部５６は、日記文面を当該画像に埋め込むように構成してもよい。
【００５８】
なお、本発明は、上述の実施形態に限定されるものではなく、本発明の目的を達成できる範囲での変形、改良等は本発明に含まれるものである。
【００５９】
上述の実施形態では、自機の撮像機能、センサ機能、入力機能を利用して、自機からのライフログ情報を取得するように構成したがこれに限られず、他装置やサーバ等からライフログ情報を取得するように構成してもよい。
【００６０】
また、上述の実施形態では、作成された日記が採用できない場合、ライフログ情報を選択する処理まで戻るように構成したがこれに限られず、例えば、日記の構成、文章の作成、日記の作成の処理に戻るように構成することができる。
【００６１】
また、上述の実施形態では、作成した日記情報をブログにアップロードするように構成したが、例えば、設定したＦａｃｅｂｏｏｋや、フィットネス系サービス等のＳＮＳ（Ｓｏｃｉａｌ  Ｎｅｔｗｏｒｋｉｎｇ  Ｓｅｒｖｉｃｅ）、そして、Ｗｅｂサイトやクラウドサービスに自動的にアップロードするように構成してもよい。
【００６２】
また、上述の実施形態では、出かけた観光地、レストラン、食べた食事、または、走った場所、距離、タイム、心拍数、消費カロリーなど生体データや、そのときの天気（小雨など）や環境（坂道など）、または、その日に会ったり、連絡した友人や知人、その日に作成した書類、検索したキーワードであったりなどのログ情報を用いてもよい。
【００６３】
また、上述の実施形態では、運動では、走行距離や、タイム、心拍数や消費カロリー、運動強度などのレベルやきつさ等に応じて、レベルの高いものを優先して自動選択するように構成してもよい。出会った人ならば、より親しい人、珍しい人、著名人など、出かけた場所なら、距離が遠い所、有名な場所、最近話題の場所などを優先して選択するように構成してもよい。
【００６４】
また、上述の実施形態では、人のライフログ情報を用いるように構成したが、自宅の家電や家具、トイレ、ベッド、犬猫ペットなどに、それぞれ識別番号が記録されたＮＦＣタグを貼付しておき、それをＮＦＣリーダー機能で読取ったスマートウォッチやスマートフォンによって、トイレの回数、就寝時刻、ペットの餌やり、どのペットと遊んだかなど、より精確な行動識別、より詳細な行動記録を行い、それに基づいて、日記メッセージを作成するようにしてもよい。
【００６５】
また、上述の実施形態では、時々、その日のニュース記事や天気予報などの情報をインターネットから取得して、当該行動項目に関連する記事から、抽出した文章を、日記の一部に組込んでもよい。
【００６６】
また、上述の実施形態では、その日撮影した画像の中から、主な出来事や会った人の顔、最も美しい構図の写真、食事の写真などを、１〜数枚自動的に選択して、その画像の撮影日時と最も近い、時刻に対応するライフログなど行動記録データに基づいて、同様に、文章メッセージを写真のコメントとして自動作成して、画像と対応付けて日記情報を作成してもよい。
【００６７】
また、上述の実施形態では、文章作成部５５は、例文情報に当てはめて文章を作成するように構成したがこれに限られず、例えば、ライフログ情報を加工して文章を作成するように構成してもよい。
【００６８】
また、上述の実施形態では、本発明が適用される情報処理装置１は、デジタルカメラを例として説明したが、特にこれに限定されない。
例えば、本発明は、日記作成機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６９】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が情報処理装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００７０】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７１】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ  Ｄｉｓｃ（ブルーレイディスク）（登録商標）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２０に含まれるハードディスク等で構成される。
【００７２】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００７３】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７４】
以下に、本願の出願当初の特許請求の範囲に記載された発明を付記する。
［付記１］
ライフログ情報を取得する情報取得手段と、
前記情報取得手段により取得された前記ライフログ情報を選択する情報選択手段と、
前記情報選択手段により選択された前記ライフログ情報の記録における登場順となる構成を選択する構成選択手段と、
前記情報選択手段により選択された前記ライフログ情報を文章情報に加工する加工手段と、
前記構成選択手段により選択された前記構成に基づいて、前記加工手段により加工された前記文章情報を構成して記録情報を作成する作成手段と、
を備えることを特徴とする情報処理装置。
［付記２］
前記ライフログ情報は、画像が含まれ、
前記作成手段は、前記構成された前記文章情報を、前記画像と共に提示可能に構成して前記記録情報を作成する、
ことを特徴とする付記１に記載の情報処理装置。
［付記３］         
前記作成手段は、前記情報選択手段によって選択された前記ライフログ情報に含まれるライフログ情報によって特定される時間帯に撮影された画像と前記文章情報とから前記記録情報を作成する、
ことを特徴とする付記１又は２に記載の情報処理装置。
［付記４］
前記情報選択手段は、所定の基準に準じて、前記ライフログ情報を選択する、
ことを特徴とする付記１乃至３のいずれか１つに記載の情報処理装置。
［付記５］
前記構成選択手段は、所定の基準に準じて、前記構成を選択する、
ことを特徴とする付記１乃至４のいずれか１つに記載の情報処理装置。
［付記６］
前記記録情報は日記情報であることを特徴とする付記１乃至５のいずれか１つに記載の情報処理装置。
［付記７］
ライフログ情報を取得する情報取得ステップと、
前記情報取得ステップにより取得された前記ライフログ情報を選択する情報選択ステップと、
前記情報選択ステップにより選択された前記ライフログ情報の記録における登場順となる構成を選択する構成選択ステップと、
前記情報選択ステップにより選択された前記ライフログ情報を文章情報に加工する加工ステップと、
前記構成選択ステップにより選択された前記構成に基づいて、前記加工ステップにより加工された前記文章情報を構成して記録情報を作成する作成ステップと、
を含むことを特徴とする情報処理方法。
［付記８］
コンピュータを、
ライフログ情報を取得する情報取得手段、
前記情報取得手段により取得された前記ライフログ情報を選択する情報選択手段、
前記情報選択手段により選択された前記ライフログ情報の記録における登場順となる構成を選択する構成選択手段、
前記情報選択手段により選択された前記ライフログ情報を文章情報に加工する加工手段、
前記構成選択手段により選択された前記構成に基づいて、前記加工手段により加工された前記文章情報を構成して記録情報を作成する作成手段、
として機能させることを特徴とするプログラム。
【符号の説明】
【００７５】
１・・・情報処理装置，１１・・・ＣＰＵ，１２・・・ＲＯＭ，１３・・・ＲＡＭ，１４・・・バス，１５・・・入出力インターフェース，１６・・・撮像部，１７・・・センサ部，１８・・・入力部，１９・・・出力部，２０・・・記憶部，２１・・・通信部，２２・・・ドライブ，３１・・・リムーバブルメディア，５１・・・ライフログ情報取得部，５２・・・ライフログ情報解析部，５３・・・ライフログ情報選択部，５４・・・日記構成選択部，５５・・・文章作成部，５６・・・日記作成処理部，５７・・・通信制御部，７１・・・ライフログ情報記憶部，７２・・・日記作成情報記憶部，７３・・・日記情報記憶部
【図１】
2015106291.tif 000003
【図２】
2015106291.tif 000004
【図３】
2015106291.tif 000005
【図４】
2015106291.tif 000006
【図５】
2015106291.tif 000007
【図６】
2015106291.tif 000008
【図７】
2015106291.tif 000009
【図８】
2015106291.tif 000010
【図９】
2015106291.tif 000011